(57)【要約】【課題】本発明は、電子部品用コア及びこれを含む電子部品に関する。【解決手段】本発明は、電子部品用コアを提供する。このコアは、同心の内周面及び外周面を有し、且つ一部が切断されて空隙を有する開放された図形の形状を有するコア部と、コア部の内周面及び外周面を連結する上部面の一部と空隙を覆う上部面遮蔽層と、上部面に対向する下部面の一部と空隙を覆う下部面遮蔽層と、を有する遮蔽部と、を含む。遮蔽部は、１〜２，０００の範囲の透磁率を有する物質を含む。【選択図】図１ａ
2016063215.tif 000002
【特許請求の範囲】
【請求項１】
同心の内周面及び外周面を有し、且つ一部が切断されて空隙を有する開放された図形の形状を有するコア部と、
前記コア部の前記内周面及び前記外周面を連結する第１面の一部と前記空隙を覆う第１遮蔽層と、前記第１面に対向する第２面の一部と前記空隙を覆う第２遮蔽層と、を有する遮蔽部と、を含み、
前記遮蔽部は、１〜２，０００の範囲の透磁率を有する物質を含む、電子部品用コア。
【請求項２】
前記コア部は、非晶質合金軟磁性物質又はナノ結晶粒軟磁性物質を含む、請求項１に記載の電子部品用コア。
【請求項３】
前記コア部は、円形又は多角形の形状を有する、請求項１または２に記載の電子部品用コア。
【請求項４】
前記第１遮蔽層は、前記第１面の残りの部分をさらに覆う、請求項１から３のいずれか１項に記載の電子部品用コア。
【請求項５】
前記第２遮蔽層は、前記第２面の残りの部分をさらに覆う、請求項１から４のいずれか１項に記載の電子部品用コア。
【請求項６】
前記遮蔽部は、
前記コア部の前記内周面の少なくとも一部と前記空隙を覆う第３遮蔽層と、
前記コア部の前記外周面の少なくとも一部と前記空隙を覆う第４遮蔽層と、をさらに有する、請求項１から５のいずれか１項に記載の電子部品用コア。
【請求項７】
前記遮蔽部は、軟磁性物質を含む、請求項１から６のいずれか１項に記載の電子部品用コア。
【請求項８】
前記コア部の一部が切断された前記空隙による前記コア部の離隔距離は、０．１ｍｍ以上である、請求項１から７のいずれか１項に記載の電子部品用コア。
【請求項９】
同心の内周面及び外周面を有し、且つ一部が切断されて空隙を有する開放された図形の形状を有するコア部と、
前記コア部の前記空隙の一部を露出する第１開口部を有し、且つ前記第１開口部に隣接する前記内周面と前記外周面を連結する第１面の一部を覆う第１遮蔽層と、前記空隙の一部を露出する第２開口部を有し、且つ前記第２開口部に隣接するとともに前記第１面に対向する第２面の一部を覆う第２遮蔽層と、を有する遮蔽部と、を含む、電子部品用コア。
【請求項１０】
前記遮蔽部は、１〜２，０００の範囲の透磁率を有する物質を含む、請求項９に記載の電子部品用コア。
【請求項１１】
前記コア部は、非晶質合金軟磁性物質又はナノ結晶粒軟磁性物質を含む、請求項９または１０に記載の電子部品用コア。
【請求項１２】
前記コア部は、円形又は多角形の形状を有する、請求項９から１１のいずれか１項に記載の電子部品用コア。
【請求項１３】
前記第１遮蔽層は、前記第１面の残りの部分をさらに覆う、請求項９から１２のいずれか１項に記載の電子部品用コア。
【請求項１４】
前記第２遮蔽層は、前記第２面の残りの部分をさらに覆う、請求項９から１３のいずれか１項に記載の電子部品用コア。
【請求項１５】
前記遮蔽部は、
前記コア部の前記内周面の少なくとも一部と前記空隙を覆う第３遮蔽層と、
前記コア部の前記外周面の少なくとも一部と前記空隙を覆う第４遮蔽層と、をさらに有する、請求項９から１４のいずれか１項に記載の電子部品用コア。
【請求項１６】
前記遮蔽部は、前記空隙の表面積の２０〜８０％を露出する、請求項１５に記載の電子部品用コア。
【請求項１７】
前記遮蔽部は、
前記空隙の一部を露出するとともに前記コア部の前記内周面の少なくとも一部を覆う第３遮蔽層と、
前記空隙の一部を露出するとともに前記コア部の前記外周面の少なくとも一部を覆う第４遮蔽層と、をさらに有する、請求項９から１４のいずれか１項に記載の電子部品用コア。
【請求項１８】
前記遮蔽部は、前記空隙の表面積の２０〜８０％を露出する、請求項１７に記載の電子部品用コア。
【請求項１９】
前記遮蔽部は、軟磁性物質を含む、請求項９から１８のいずれか１項に記載の電子部品用コア。
【請求項２０】
前記コア部の一部が切断された前記空隙による前記コア部の離隔距離は、０．１ｍｍ以上である、請求項９から１９のいずれか１項に記載の電子部品用コア。
【請求項２１】
請求項１から２０のいずれか１項に記載の電子部品用コアを含む、電子部品。
【請求項２２】
前記電子部品は、変圧器、モータ又はインダクタである、請求項２１に記載の電子部品。
【請求項２３】
前記電子部品は、５０〜３００ｋＨｚの範囲の周波数帯域で使用される、請求項２１または２２に記載の電子部品。
【発明の詳細な説明】
【技術分野】
【０００１】
本発明は、電子部品用コア及びこれを含む電子部品に関し、より具体的には、高周波数帯域で使用される電子部品用コア及びこれを含む電子部品に関する。
【背景技術】
【０００２】
近年、各種の通信装置又は表示装置などの情報通信技術（Ｉｎｆｏｒｍａｔｉｏｎ  Ｔｅｃｈｎｏｌｏｇｙ：ＩＴ）装置の小型化及び薄型化が加速している。したがって、かかる情報通信技術装置に採用される変圧器（ｔｒａｎｓｆｏｒｍｅｒ）、インダクタ（ｉｎｄｕｃｔｏｒ）、キャパシタ（ｃａｐａｃｉｔｏｒ）、トランジスタ（ｔｒａｎｓｉｓｔｏｒ）などの各種の電子部品を小型化及び薄型化するための研究が継続して行われている。
【０００３】
かかる電子部品、特に、変圧器、インダクタなどに含まれたコア（ｃｏｒｅ）は、軟磁性（ｓｏｆｔ  ｍａｇｎｅｔ）の特性を有する物質からなっている。軟磁性の特性を有する物質としては、変圧器の小型化のための高周波数駆動のために、フェライト（ｆｅｒｒｉｔｅ）物質が使用されるが、フェライト物質で形成されたコアは、飽和磁束密度（ｓａｔｕｒａｔｅｄ  ｍａｇｎｅｔｉｃ  ｆｌｕｘ  ｄｅｎｓｉｔｙ）が低くて１Ａ以上の高電流で磁気的特性を発現することができない。しかし、変圧器の小型化のためには印加電流が大きくならなければならないため、フェライト物質によりコアを小型化するには限界がある。
【０００４】
したがって、近年、飽和磁束密度の高い金属系軟磁性物質を使用しようとしている。しかし、パーマロイ（ｐｅｒｍａｌｌｏｙ）又は電気鋼板（ｅｌｅｃｔｒｉｃａｌ  ｓｈｅｅｔ）などの既存の材料は、５０〜３００ｋＨｚの範囲の高周波数帯域でコアロス（ｃｏｒｅ  ｌｏｓｓ）が大きく、また、コアに空隙（ａｉｒ  ｇａｐ）を形成する場合、透磁率（ｍａｇｎｅｔｉｃ  ｐｅｒｍｅａｂｉｌｉｔｙ）が低くなるため、高周波数帯域で使用される電子部品のコアとしての使用に適していない。
【発明の概要】
【発明が解決しようとする課題】
【０００５】
本発明が解決しようとする課題は、高周波数帯域で使用される電子部品用コアを提供することにある。
【０００６】
本発明が解決しようとする他の課題は、高周波数帯域で使用される電子部品を提供することにある。
【０００７】
本発明が解決しようとする課題は、以上に言及した課題に制限されず、言及していないさらに他の課題は、当業者が、以下の記載から明確に理解することができる。
【課題を解決するための手段】
【０００８】
上述した課題を達成するために、本発明は、電子部品用コアを提供する。このコアは、同心の内周面及び外周面を有し、且つ一部が切断されて空隙を有する開放された図形の形状を有するコア部と、コア部の内周面及び外周面を連結する上部面の一部と空隙を覆う上部面遮蔽層と、上部面に対向する下部面の一部と空隙を覆う下部面遮蔽層と、を有する遮蔽部と、を含むことができる。遮蔽部は、１〜２，０００の範囲の透磁率を有する物質を含むことができる。
【０００９】
コア部は、非晶質合金軟磁性物質又はナノ結晶粒軟磁性物質を含むことができる。コア部は、円形又は多角形の形状を有することができる。
【００１０】
上部面遮蔽層は、上部面の残りの部分をさらに覆うことができる。下部面遮蔽層は、下部面の残りの部分をさらに覆うことができる。遮蔽部は、コア部の内周面の少なくとも一部と空隙を覆う内周面遮蔽層と、コア部の外周面の少なくとも一部と空隙を覆う外周面遮蔽層と、をさらに有することができる。遮蔽部は、軟磁性物質を含むことができる。
【００１１】
コア部の一部が切断された空隙によるコア部の離隔距離は、０．１ｍｍ以上であることができる。
【００１２】
また、上述した課題を達成するために、本発明は、他の電子部品用コアを提供する。このコアは、同心の内周面及び外周面を有し、且つ一部が切断されて空隙を有する開放された図形の形状を有するコア部と、コア部の空隙の一部を露出する上部面開口部を有し、且つ上部面開口部に隣接する内周面と外周面を連結する上部面の一部を覆う上部面遮蔽層と、空隙の一部を露出する下部面開口部を有し、且つ下部面開口部に隣接するとともに上部面に対向する下部面の一部を覆う下部面遮蔽層と、を有する遮蔽部と、を含むことができる。遮蔽部は、１〜２，０００の範囲の透磁率を有する物質を含むことができる。
【００１３】
コア部は、非晶質合金軟磁性物質又はナノ結晶粒軟磁性物質を含むことができる。コア部は、円形又は多角形の形状を有することができる。
【００１４】
上部面遮蔽層は、上部面の残りの部分をさらに覆うことができる。下部面遮蔽層は、下部面の残りの部分をさらに覆うことができる。遮蔽部は、コア部の内周面の少なくとも一部と空隙を覆う内周面遮蔽層と、コア部の外周面の少なくとも一部と空隙を覆う外周面遮蔽層と、をさらに有することができる。遮蔽部は、空隙の一部を露出するとともにコア部の内周面の少なくとも一部を覆う内周面遮蔽層と、空隙の一部を露出するとともにコア部の外周面の少なくとも一部を覆う外周面遮蔽層と、をさらに有することができる。遮蔽部は、空隙の表面積の２０〜８０％を露出することができる。遮蔽部は、軟磁性物質を含むことができる。
【００１５】
コア部の一部が切断された空隙によるコア部の離隔距離は、０．１ｍｍ以上であることができる。
【００１６】
さらに、上述した他の課題を達成するために、本発明は、電子部品を提供する。この電子部品は、上述した電子部品用コアのいずれか一つを含むことができる。
【００１７】
電子部品は、変圧器、モータ又はインダクタであることができる。
【００１８】
電子部品は、５０〜３００ｋＨｚの範囲の周波数帯域で使用されることができる。
【発明の効果】
【００１９】
上述したように、本発明の課題を解決するための手段によれば、電子部品用コアが、コア部の空隙の一部又は全体を覆う１〜２，０００の範囲の低い透磁率を有する遮蔽部を含むことにより、向上した透磁率及び良好な周波数特性を有することができる。これにより、高周波数帯域で使用される電子部品用コアが提供されることができる。
【００２０】
また、本発明の課題を解決するための手段によれば、電子部品が、高周波数帯域で使用されることができる電子部品用コアを含むことにより、小型化及び薄型化を図ることができる。これにより、高周波数帯域で使用されることができる情報通信技術装置の小型化及び薄型化を図ることができる。
【図面の簡単な説明】
【００２１】
【図１ａ】本発明の実施形態による電子部品用コアを説明するための立体図である。
【図１ｂ】本発明の実施形態による電子部品用コアを説明するための上部平面図である。
【図１ｃ】図１ｂのＩ‐Ｉ´線に沿って切断した側部断面図である。
【図２ａ】本発明の他の実施形態による電子部品用コアを説明するための立体図である。
【図２ｂ】本発明の他の実施形態による電子部品用コアを説明するための上部平面図である。
【図２ｃ】図２ｂのＩＩ‐ＩＩ´線に沿って切断した側部断面図である。
【図３ａ】本発明のさらに他の実施形態による電子部品用コアを説明するための立体図である。
【図３ｂ】本発明のさらに他の実施形態による電子部品用コアを説明するための上部平面図である。
【図３ｃ】図３ｂのＩＩＩ‐ＩＩＩ´線に沿って切断した側部断面図である。
【図４ａ】本発明のさらに他の実施形態による電子部品用コアを説明するための立体図である。
【図４ｂ】本発明のさらに他の実施形態による電子部品用コアを説明するための上部平面図である。
【図４ｃ】図４ｂのＩＶ‐ＩＶ´線に沿って切断した側部断面図である。
【図５ａ】本発明のさらに他の実施形態による電子部品用コアを説明するための立体図である。
【図５ｂ】本発明のさらに他の実施形態による電子部品用コアを説明するための上部平面図である。
【図５ｃ】図５ｂのＶ‐Ｖ´線に沿って切断した側部断面図である。
【図６ａ】本発明のさらに他の実施形態による電子部品用コアを説明するための立体図である。
【図６ｂ】本発明のさらに他の実施形態による電子部品用コアを説明するための上部平面図である。
【図６ｃ】図６ｂのＶＩ‐ＶＩ´線に沿って切断した側部断面図である。
【図７ａ】本発明のさらに他の実施形態による電子部品用コアを説明するための立体図である。
【図７ｂ】本発明のさらに他の実施形態による電子部品用コアを説明するための上部平面図である。
【図７ｃ】図７ｂのＶＩＩ‐ＶＩＩ´線に沿って切断した側部断面図である。
【図８】本発明の実施形態による電子部品用コアの周波数特性を示すグラフである。
【発明を実施するための形態】
【００２２】
以下、添付の図面を参照して、本発明の好ましい実施形態について詳細に説明する。本発明の利点及び特徴、またそれらを達成する方法は、添付の図面とともに以下で詳述している実施形態を参照すると明確になる。しかし、本発明は、ここで説明している実施形態に限定されるものではなく、互いに異なる形態に具体化されることもある。むしろ、ここで述べられる実施形態は、開示された内容が徹底的で完全になることができるように、また、当業者に本発明の思想を十分に伝達するために提供されるものであり、本発明は、請求項の範疇によって定義されるだけである。
【００２３】
明細書の全文にわたり同一の参照符号は同一の構成要素を指す。したがって、同一の参照符号又は類似の参照符号は、該当する図面で言及又は説明されていなくても、他の図面を参照して説明できる。また、参照符号が示されていなくても、他の図面を参照して説明できる。
【００２４】
本明細書で用いられる用語は、実施形態を説明するためのものであって、本発明を限定するためのものではない。本明細書において、単数型は文章で特に言及しない限り複数型をも含む。明細書で用いられる「含む（ｃｏｍｐｒｉｓｅ）」及び／又は「含んでいる（ｃｏｍｐｒｉｓｉｎｇ）」は、言及された構成要素、段階、動作及び／又は素子は、一つ以上の他の構成要素、段階、動作及び／又は素子の存在又は追加を排除しない。また、好ましい実施形態によるものであることから、説明の順序に沿って提示される参照符号は、その順序が必ずしも限定されない。さらに、本明細書において、ある膜が他の膜又は基板上に存在すると言及される場合、それは、他の膜又は基板上に直接形成されるか又はそれらの間に第３の膜が介在されることもあることを意味する。
【００２５】
一つの構成要素（ｅｌｅｍｅｎｔ）が他の構成要素と「接続した（ｃｏｎｎｅｃｔｅｄ  ｔｏ）」又は「結合した（ｃｏｕｐｌｅｄ  ｔｏ）」と示すことは、他の構成要素と直接連結又は結合した場合、もしくは中間に他の構成要素を介在した場合をすべて含む。一方、一つの構成要素が他の構成要素と「直接接続した（ｄｉｒｅｃｔｌｙ  ｃｏｎｎｅｃｔｅｄ  ｔｏ）」又は「直接結合した（ｄｉｒｅｃｔｌｙ  ｃｏｕｐｌｅｄ  ｔｏ）」と示すことは、中間に他の構成要素を介在していないことを示す。「及び／又は」は、言及したアイテム（ｉｔｅｍ）のそれぞれ及び一つ以上のすべての組み合わせを含む。
【００２６】
空間的に相対的な用語である「より下に（ｂｅｌｏｗ）」、「の下に（ｂｅｎｅａｔｈ）」、「下部（ｌｏｗｅｒ）」、「より上に（ａｂｏｖｅ）」、「上部（ｕｐｐｅｒ）」などは、図面に図示されているように、一つの素子又は構成要素と他の素子又は構成要素との相関関係を容易に記述するために使用されることができる。空間的に相対的な用語は、図面に図示されている方向に加えて使用する際又は動作する際に、素子の互いに異なる方向を含む用語として理解すべきである。例えば、図面に図示されている素子を覆す場合、他の素子「より下に（ｂｅｌｏｗ）」又は「の下に（ｂｅｎｅａｔｈ）」と記述された素子は、他の素子「より上に（ａｂｏｖｅ）」に配置されることもある。したがって、例示的な用語である「下」は、下と上の方向をすべて含むことができる。素子は、他の方向にも配向されることがあり、これによって空間的に相対的な用語は配向に応じて解釈されることができる。
【００２７】
また、本明細書で記述している実施形態は、本発明の理想的な例示図である断面図及び／又は平面図を参照して説明している。図面において、膜及び領域の厚さは、技術的内容を効果的に説明するために誇張されたものである。したがって、製造技術及び／又は許容誤差などによって例示図の形態が変形されることがある。したがって、本発明の実施形態は、図示された特定の形態に制限されるものではなく、製造工程によって生成される形態の変化も含むものである。例えば、直角に図示された食刻領域は、ラウンド状（ｒｏｕｎｄｅｄ）又は所定の曲率を有する形状であってもよい。したがって、図面に例示された領域は概略的な属性を有し、図面に例示された領域の形状は素子の領域の特定の形態を例示するためのものであって、発明の範疇を制限するためのものではない。
【００２８】
図１ａ及び図１ｂは、それぞれ本発明の実施形態による電子部品用コアを説明するための立体図及び上部平面図であり、また、図１ｃは図１ｂのＩ‐Ｉ´線に沿って切断した側部断面図である。
【００２９】
図１ａ〜図１ｃを参照すると、電子部品用コア１００は、空隙１１２を有するコア部１１０と、コア部１１０の空隙１１２とこれに隣接する上部面の一部及び下部面の一部を覆う遮蔽部１２５と、を含むことができる。コア部１１０の空隙１１２は、電子部品用コア１００の周波数特性を向上させる。また、遮蔽部１２５は、コア部１１０の空隙１１２を塞いで電子部品用コア１００の透磁率を向上させる。
【００３０】
コア部１１０は、同心の内周面及び外周面を有し、且つ一部が切断されて空隙１１２を有する開放された図形の形状を有することができる。すなわち、コア部１１０は、環状（ｔｏｒｏｉｄａｌ）コアの形状を有することができる。本発明の実施形態によるコア部１１０は、円形状に図示されているが、これに限定されるものではない。したがって、コア部１１０は、円形又は多角形の形状を有してもよい。コア部１１０は、非晶質合金（ａｍｏｒｐｈｏｕｓ  ａｌｌｏｙ）軟磁性物質又はナノ結晶粒（ｎａｎｏ‐ｃｒｙｓｔａｌｌｉｎｅ）軟磁性物質を含むことができる。
【００３１】
遮蔽部１２５は、コア部１１０の内周面及び外周面を連結する上部面の一部と空隙１１２を同時に覆う上部面遮蔽層１２２と、コア部１１０の上部面に対向する下部面の一部と空隙１１２を同時に覆う下部面遮蔽層１２４と、を有することができる。本発明の実施形態による上部面遮蔽層１２２及び下部面遮蔽層１２４は、コア部１１０の形状に応じて扇形の形状を有するものに図示されているが、これに限定されるものではない。上部面遮蔽層１２２及び下部面遮蔽層１２４は、コア部１１０の空隙１１２を完全に覆う形態の他の図形の形状を有してもよい。
【００３２】
遮蔽部１２５、すなわち、上部面遮蔽層１２２及び下部面遮蔽層１２４は、１〜２，０００の範囲の透磁率を有する軟磁性物質を含むことができる。したがって、本発明の実施形態による電子部品用コア１００は、遮蔽部１２５として高い透磁率を有する物質を使用する場合に比べて透磁率は低く向上したが、高周波数帯域での特性は向上することができる。
【００３３】
また、コア部１１０の一部が切断された空隙１１２によるコア部１１０の離隔距離は、０．１ｍｍ以上であることができる。通常、コア部１１０の空隙１１２の大きさに応じて電子部品用コア１００の透磁率の減少幅が決定されるため、コア部１１０の空隙１１２の大きさが大きくなるほど漏れ磁束が増加して、微細なコア部１１０の空隙１１２を形成する技術が必要となる。しかし、コア部１１０の空隙１１２によるコア部１１０の離隔距離が０．１ｍｍ以下である場合、離隔距離による電子部品用コア１００の透磁率変化が大きく、微細に加工することが難しい。したがって、本発明の実施形態による電子部品用コア１００は、透磁率を高めるために空隙の幅を０．１ｍｍ以下に作製する従来技術に比べて精密性がそれほど要求されないことから、容易に量産することができる。
【００３４】
図示されてはいないが、コイル（ｃｏｉｌ）が、環状コアの形状を有するコア部１１０の内周面によって定義される孔を介して電子部品用コア１００に巻かれることができる。したがって、コイルを含む電子部品用コア１００が、電子部品に適用されることができる。電子部品は、変圧器、モータ（ｍｏｔｏｒ）又はインダクタなどであってもよく、これに限定されるものではない。したがって、本発明の実施形態による電子部品用コア１００は、高周波数帯域である５０〜３００ｋＨｚの範囲の周波数帯域で使用される様々な電子部品に適用されることができる。
【００３５】
以下、図２ａ〜図７ｃを参照して、本発明の他の実施形態による電子部品用コアについて説明する。図２ａ、図３ａ、図４ａ、図５ａ、図６ａ及び図７ａは、本発明の他の実施形態それぞれによる電子部品用コアの立体図であり、図２ｂ、図３ｂ、図４ｂ、図５ｂ、図６ｂ及び図７ｂは、本発明の他の実施形態それぞれによる電子部品用コアの上部平面図であり、また、図２ｃ、図３ｃ、図４ｃ、図５ｃ、図６ｃ及び図７ｃは、それぞれ図２ｂのＩＩ‐ＩＩ´線、図３ｂのＩＩＩ‐ＩＩＩ´線、図４ｂのＩＶ‐ＩＶ´線、図５ｂのＶ‐Ｖ´線、図６ｂのＶＩ‐ＶＩ´線及び図７ｂのＶＩＩ‐ＶＩＩ´線に沿って切断した側部断面図である。上述した本発明の実施形態を参照して説明した構成要素は、同じ参照符号を使用し、それに関する説明は省略する。
【００３６】
図２ａ〜図２ｃを参照すると、電子部品用コア１００ａは、空隙１１２を有するコア部１１０と、コア部１１０の空隙１１２とこれに隣接する上部面の一部、下部面の一部、内周面の一部及び外周面の一部を覆う遮蔽部１２５と、を含むことができる。コア部１１０の空隙１１２は、電子部品用コア１００ａの周波数特性を向上させる。また、遮蔽部１２５は、コア部１１０の空隙１１２を塞いで電子部品用コア１００ａの透磁率を向上させる。
【００３７】
遮蔽部１２５は、コア部１１０の内周面及び外周面を連結する上部面の一部と空隙１１２を同時に覆う上部面遮蔽層１２２と、コア部１１０の上部面に対向する下部面の一部と空隙１１２を同時に覆う下部面遮蔽層１２４と、コア部１１０の内周面の一部と空隙１１２を同時に覆う内周面遮蔽層１２６と、コア部１１０の外周面の一部と空隙１１２を同時に覆う外周面遮蔽層１２８と、を有することができる。本発明の実施形態による上部面遮蔽層１２２及び下部面遮蔽層１２４は、コア部１１０の形状に応じて扇形の形状を有するものであり、また、内周面遮蔽層１２６及び外周面遮蔽層１２８は、コア部１１０の形状に応じて円弧状の形状を有するものに図示されているが、これに限定されるものではない。上部面遮蔽層１２２、下部面遮蔽層１２４、内周面遮蔽層１２６及び外周面遮蔽層１２８は、コア部１１０の空隙１１２を完全に覆う形態の他の図形の形状を有してもよい。
【００３８】
図３ａ〜図３ｃを参照すると、電子部品用コア１００ｂは、空隙１１２を有するコア部１１０と、コア部１１０の上部面の全面と空隙１１２及び下部面の全面と空隙１１２を覆う遮蔽部１２５ａと、を含むことができる。コア部１１０の空隙１１２は、電子部品用コア１００ｂの周波数特性を向上させる。また、遮蔽部１２５ａは、コア部１１０の空隙１１２を塞いで電子部品用コア１００ｂの透磁率を向上させる。
【００３９】
遮蔽部１２５ａは、コア部１１０の内周面及び外周面を連結する上部面の全面と空隙１１２を同時に覆う上部面遮蔽層１２２ａと、コア部１１０の上部面に対向する下部面の全面と空隙１１２を同時に覆う下部面遮蔽層１２４ａと、を有することができる。本発明の実施形態による上部面遮蔽層１２２ａ及び下部面遮蔽層１２４ａは、コア部１１０の形状に応じて環状の形状を有するものに図示されているが、これに限定されるものではない。上部面遮蔽層１２２ａ及び下部面遮蔽層１２４ａは、コア部１１０の空隙１１２を完全に覆う形状を有し、且つ少なくともコア部１１０の内周面によって定義される孔を覆わない他の閉鎖された図形の形状を有してもよい。
【００４０】
図示されてはいないが、電子部品用コア１００ｂは、コア部１１０の内周面の少なくとも一部と空隙１１２を覆う内周面遮蔽層（図２ａの１２６参照）及び外周面の少なくとも一部と空隙１１２を覆う外周面遮蔽層（図２ａの１２８参照）をさらに含むことができる。
【００４１】
図４ａ〜図４ｃを参照すると、電子部品用コア２００は、空隙１１２を有するコア部１１０と、コア部１１０の空隙１１２の一部とこれに隣接する上部面の一部及び下部面の一部を覆う遮蔽部１２５ｂと、を含むことができる。コア部１１０の空隙１１２は、電子部品用コア２００の周波数特性を向上させる。また、遮蔽部１２５ｂは、コア部１１０の空隙１１２の一部を塞いで電子部品用コア２００の透磁率を向上させる。
【００４２】
遮蔽部１２５ｂは、コア部１１０の内周面及び外周面を連結する上部面の一部と空隙１１２の一部を同時に覆う上部面遮蔽層１２２ｂと、コア部１１０の上部面に対向する下部面の一部と空隙１１２の一部を同時に覆う下部面遮蔽層１２４ｂと、を有することができる。すなわち、上部面遮蔽層１２２ｂは、コア部１１０の空隙１１２の幅より狭い幅を有する上部面開口部１２１を有することで、コア部１１０の空隙１１２の一部を上部面の方向に露出する形態であり、また、下部面遮蔽層１２４ｂは、コア部１１０の空隙１１２の幅より狭い幅を有する下部面開口部１２３を有することで、コア部１１０の空隙１１２の一部を下部面の方向に露出する形態であることができる。遮蔽部１２５ｂは、コア部１１０の空隙１１２の表面積の２０〜８０％を露出することができる。本発明の実施形態による上部面遮蔽層１２２ｂ及び下部面遮蔽層１２４ｂは、コア部１１０の形状に応じて扇形の形状を有する離隔した二つのパターン（ｐａｔｔｅｒｎ）からなる形態を有するものに図示されているが、これに限定されるものではない。上部面遮蔽層１２２及び下部面遮蔽層１２４は、コア部１１０の空隙１１２の一部を露出する形態の他の図形の形状を有してもよい。
【００４３】
図５ａ〜図５ｃを参照すると、電子部品用コア２００ａは、空隙１１２を有するコア部１１０と、コア部１１０の空隙１１２の一部とこれに隣接する上部面の一部、下部面の一部、内周面の一部及び外周面の一部を覆う遮蔽部１２５ｂと、を含むことができる。コア部１１０の空隙１１２は、電子部品用コア２００ａの周波数特性を向上させる。また、遮蔽部１２５ｂは、コア部１１０の空隙１１２の一部を塞いで電子部品用コア２００ａの透磁率を向上させる。
【００４４】
遮蔽部１２５ｂは、コア部１１０の内周面及び外周面を連結する上部面の一部と空隙１１２の一部を同時に覆う上部面遮蔽層１２２ｂと、コア部１１０の上部面に対向する下部面の一部と空隙１１２の一部を同時に覆う下部面遮蔽層１２４ｂと、コア部１１０の内周面の一部と空隙１１２を同時に覆う内周面遮蔽層１２６ｂと、コア部１１０の外周面の一部と空隙１１２を同時に覆う外周面遮蔽層１２８ｂと、を有することができる。すなわち、上部面遮蔽層１２２ｂは、コア部１１０の空隙１１２の幅より狭い幅を有する上部面開口部１２１を有することで、コア部１１０の空隙１１２の一部を上部面の方向に露出する形態であり、また、下部面遮蔽層１２４ｂは、コア部１１０の空隙１１２の幅より狭い幅を有する下部面開口部１２３を有することで、コア部１１０の空隙１１２の一部を下部面の方向に露出する形態であることができる。また、内周面遮蔽層１２６ｂは、コア部１１０の空隙１１２を内周面の方向に覆う形態であり、また、外周面遮蔽層１２８ｂは、コア部１１０の空隙１１２を外周面の方向に覆う形態であることができる。遮蔽部１２５ｂは、コア部１１０の空隙１１２の表面積の２０〜８０％を露出することができる。本発明の実施形態による上部面遮蔽層１２２ｂ及び下部面遮蔽層１２４ｂは、コア部１１０の形状に応じて扇形の形状を有する離隔した二つのパターンからなる形態を有するものであり、また、内周面遮蔽層１２６ｂ及び外周面遮蔽層１２８ｂは、コア部１１０の形状に応じて円弧状の形状を有するものに図示されているが、これに限定されるものではない。上部面遮蔽層１２２ｂ及び下部面遮蔽層１２４ｂは、コア部１１０の空隙１１２の一部を露出する形態、また、内周面遮蔽層１２６ｂ及び外周面遮蔽層１２８ｂは、コア部１１０の空隙１１２を完全に覆う形態の他の図形の形状を有してもよい。
【００４５】
図６ａ〜図６ｃを参照すると、電子部品用コア２００ｂは、空隙１１２を有するコア部１１０と、コア部１１０の空隙１１２の一部とこれに隣接する上部面の一部、下部面の一部、内周面の一部及び外周面の一部を覆う遮蔽部１２５ｂと、を含むことができる。コア部１１０の空隙１１２は、電子部品用コア２００ｂの周波数特性を向上させる。また、遮蔽部１２５ｂは、コア部１１０の空隙１１２の一部を塞いで電子部品用コア２００ｂの透磁率を向上させる。
【００４６】
遮蔽部１２５ｂは、コア部１１０の内周面及び外周面を連結する上部面の一部と空隙１１２の一部を同時に覆う上部面遮蔽層１２２ｂと、コア部１１０の上部面に対向する下部面の一部と空隙１１２の一部を同時に覆う下部面遮蔽層１２４ｂと、コア部１１０の内周面の一部と空隙１１２の一部を同時に覆う内周面遮蔽層１２６ｃと、コア部１１０の外周面の一部と空隙１１２の一部を同時に覆う外周面遮蔽層１２８ｃと、を有することができる。すなわち、上部面遮蔽層１２２ｂは、コア部１１０の空隙１１２の幅より狭い幅を有する上部面開口部１２１を有することで、コア部１１０の空隙１１２の一部を上部面の方向に露出する形態であり、また、下部面遮蔽層１２４ｂは、コア部１１０の空隙１１２の幅より狭い幅を有する下部面開口部１２３を有することで、コア部１１０の空隙１１２の一部を下部面の方向に露出する形態であることができる。また、内周面遮蔽層１２６ｃは、コア部１１０の空隙１１２の一部を内周面の方向に露出する形態であり、また、外周面遮蔽層１２８ｃは、コア部１１０の空隙１１２の一部を外周面の方向に露出する形態であることができる。遮蔽部１２５ｂは、コア部１１０の空隙１１２の表面積の２０〜８０％を露出することができる。本発明の実施形態による上部面遮蔽層１２２ｂ及び下部面遮蔽層１２４ｂは、コア部１１０の形状に応じて扇形の形状を有する離隔した二つのパターンからなる形態を有するものであり、また、内周面遮蔽層１２６ｃ及び外周面遮蔽層１２８ｃは、コア部１１０の形状に応じて円弧状の形状を有する離隔した二つのパターンからなる形態を有するものに図示されているが、これに限定されるものではない。上部面遮蔽層１２２ｂ、下部面遮蔽層１２４ｂ、内周面遮蔽層１２６ｃ及び外周面遮蔽層１２８ｃは、コア部１１０の空隙１１２の一部を露出する形態の他の図形の形状を有してもよい。
【００４７】
図７ａ〜図７ｃを参照すると、電子部品用コア２００ｃは、空隙１１２を有するコア部１１０と、コア部１１０の上部面の全面と空隙１１２の一部及び下部面の全面と空隙１１２の一部を覆う遮蔽部１２５ｃと、を含むことができる。コア部１１０の空隙１１２は、電子部品用コア２００ｃの周波数特性を向上させる。また、遮蔽部１２５ｃはコア部１１０の空隙１１２の一部を塞いで電子部品用コア２００ｃの透磁率を向上させる。
【００４８】
遮蔽部１２５ｃは、コア部１１０の内周面及び外周面を連結する上部面の全面と空隙１１２の一部を同時に覆う上部面遮蔽層１２２ｃと、コア部１１０の上部面に対向する下部面の全面と空隙１１２の一部を同時に覆う下部面遮蔽層１２４ｃと、を有することができる。すなわち、上部面遮蔽層１２２ｃは、コア部１１０の空隙１１２の幅より狭い幅を有する上部面開口部１２１を有することで、コア部１１０の空隙１１２の一部を上部面の方向に露出する形態であり、また、下部面遮蔽層１２４ｃは、コア部１１０の空隙１１２の幅より狭い幅を有する下部面開口部１２３を有することで、コア部１１０の空隙１１２の一部を下部面の方向に露出する形態であることができる。遮蔽部１２５ｃは、コア部１１０の空隙１１２の表面積の２０〜８０％を露出することができる。本発明の実施形態による上部面遮蔽層１２２ｃ及び下部面遮蔽層１２４ｃは、コア部１１０の形状に応じて一部が切断された開口部１２１又は１２３を有する環状の形状を有するものに図示されているが、これに限定されるものではない。上部面遮蔽層１２２ｃ及び下部面遮蔽層１２４ｃは、コア部１１０の空隙１１２の一部を露出する形状を有し、且つ少なくともコア部１１０の内周面に応じて定義される孔を覆わない他の閉鎖された図形の形状を有してもよい。
【００４９】
図示されてはいないが、電子部品用コア２００ｃは、コア部１１０の内周面の少なくとも一部と空隙１１２を覆う内周面遮蔽層（図５ａの１２６ｂ参照）及び外周面の少なくとも一部と空隙１１２を覆う外周面遮蔽層（図５ａの１２８ｂ参照）、又は、内周面の少なくとも一部と空隙１１２の一部を覆う内周面遮蔽層（図６ａの１２６ｃ参照）及び外周面の少なくとも一部と空隙１１２の一部を覆う外周面遮蔽層（図６ａの１２８ｃ参照）をさらに含むことができる。
【００５０】
図８は本発明の実施形態による電子部品用コアの周波数特性を示すグラフである。
【００５１】
図８を参照すると、実線は、空隙を覆う遮蔽部が存在しないコアの周波数特性に対する測定結果であり、短い点線は、比較例であり、２０，０００程度の高い透磁率を有する遮蔽部で空隙を覆ったコアの周波数特性に対する測定結果であり、長い点線は、比較例より低い透磁率を有する遮蔽部で空隙の一部を露出するように覆ったコアの周波数特性に対する測定結果であり、また、一点鎖線は、比較例より低い透磁率を有する遮蔽部で空隙を覆ったコアの周波数特性に対する測定結果である。
【００５２】
実線に対する測定結果から分かるように、一般的な空隙を有するコアの周波数特性は、透磁率が低く、高い周波数まで透磁率が一定であることを特徴とする。したがって、一般的な空隙を有するコアは、透磁率が低くて、高周波数帯域で使用される電子部品に使用されることができない。
【００５３】
短い点線に対する測定結果から分かるように、２０，０００程度の高い透磁率を有する遮蔽部で空隙を覆ったコアの周波数特性は、低い周波数では透磁率が高いが、高い周波数になるほど透磁率が急激に低下することを特徴とする。したがって、高い透磁率を有する遮蔽部で空隙を覆ったコアは、周波数特性に劣り、高周波数帯域で使用される電子部品に使用されることができない。
【００５４】
これとは異なり、本発明の実施形態の電子部品用コアの少なくともいずれか一つに該当する長い点線及び一点鎖線に対する測定結果から分かるように、１〜２，０００の範囲の低い透磁率を有する遮蔽部で空隙の一部又は全体を覆ったコアの周波数特性は、一般的な空隙を有するコアに比べて透磁率が向上し、高い周波数まで透磁率が一定であることが分かる。したがって、本発明の実施形態による電子部品用コアは、向上した透磁率を有し、また、周波数特性が良好で、高周波数帯域で使用される電子部品に使用されることができる。
【００５５】
本発明の実施形態によれば、電子部品用コアは、コア部の空隙を一部又は全体を覆う１〜２，０００の範囲の低い透磁率を有する遮蔽部を含むことにより、向上した透磁率及び良好な周波数特性を有することができる。これにより、高周波数帯域で使用されることができる電子部品用コアが提供されることができる。
【００５６】
また、本発明の実施形態によれば、電子部品は、高周波数帯域で使用されることができる電子部品用コアを含むことにより、小型化及び薄型化を図ることができる。これにより、高周波数帯域で使用されることができる情報通信技術装置の小型化及び薄型化を図ることができる。
【００５７】
以上、添付の図面を参照して本発明の実施形態について説明したが、本発明が属する技術分野における通常の知識を有する者であれば、本発明が、その技術的思想や必須の特徴を変更することなく他の具体的な形態で実施されることができることを理解することができる。したがって、上述した実施形態は、すべての面において例示的なものであって、限定的なものではないと理解すべきである。
【符号の説明】
【００５８】
１００、１００ａ、１００ｂ、２００、２００ａ、２００ｂ、２００ｃ  電子部品用コア
１１０  コア部
１１２  空隙
１２１  上部面開口部
１２２、１２２ａ、１２２ｂ、１２２ｃ  上部面遮蔽層
１２３  下部面開口部
１２４、１２４ａ、１２４ｂ、１２４ｃ  下部面遮蔽層
１２５、１２５ａ、１２５ｂ、１２５ｃ  遮蔽部
１２６、１２６ｂ、１２６ｃ  内周面遮蔽層
１２８、１２８ｂ、１２８ｃ  外周面遮蔽層
【図１ａ】
2016063215.tif 000003
【図１ｂ】
2016063215.tif 000004
【図１ｃ】
2016063215.tif 000005
【図２ａ】
2016063215.tif 000006
【図２ｂ】
2016063215.tif 000007
【図２ｃ】
2016063215.tif 000008
【図３ａ】
2016063215.tif 000009
【図３ｂ】
2016063215.tif 000010
【図３ｃ】
2016063215.tif 000011
【図４ａ】
2016063215.tif 000012
【図４ｂ】
2016063215.tif 000013
【図４ｃ】
2016063215.tif 000014
【図５ａ】
2016063215.tif 000015
【図５ｂ】
2016063215.tif 000016
【図５ｃ】
2016063215.tif 000017
【図６ａ】
2016063215.tif 000018
【図６ｂ】
2016063215.tif 000019
【図６ｃ】
2016063215.tif 000020
【図７ａ】
2016063215.tif 000021
【図７ｂ】
2016063215.tif 000022
【図７ｃ】
2016063215.tif 000023
【図８】
2016063215.tif 000024